(57)【要約】【課題】  フィルタの逆洗を効果的に行うことのできるフィルタおよび濾過工程中に、濾過と同時に前記フィルタの逆洗を行うこのとできる濾過装置を得る。【解決手段】  内部に流入した被処理水をフィルタ３で濾過して外部へ流出させる円筒状のフィルタエレメント１であって、フィルタエレメント１の内部に流入した被処理水に旋回流を与える旋回翼体４を設け、フィルタエレメント１内に流入した被処理水の旋回流により、濾過でフィルタ３に堆積した汚れを剥がし、旋回流によってフィルタエレメント１の軸方向に生じる二次流れにより、フィルタ３に絡むような夾雑物をこの流れの中に取り込んでフィルタ３内面への絡みつきを防止することができるようにした。【選択図】  図１
2013188689.tif 000002
【特許請求の範囲】
【請求項１】
内部に流入した被処理水をフィルタで濾過して外部へ流出させる円筒状のフィルタエレメントであって、
フィルタエレメントの内部に流入した被処理水に旋回流を与える旋回翼体を設けたことを特徴とするフィルタエレメント。
【請求項２】
前記旋回翼体はフィルタエレメントの軸方向に複数設けたことを特徴とする請求項１に記載のフィルタエレメント。
【請求項３】
前記フィルタエレメントの内部には、旋回翼体の下流室に粒状遊動体を収容したことを特徴とする請求項１または２のいずれか１に記載のフィルタエレメント。
【請求項４】
前記フィルタエレメントの内部は、前記粒状遊動体を通過させない網状体でフィルタエレメントの軸方向と交差する方向に仕切られていることを特徴とする請求項１乃至３のいずれか１に記載のフィルタエレメント。
【請求項５】
前記網状体は前記旋回翼体が複数設けられているとき、前記旋回翼体の間隔に合わせて複数設けられ、上下に位置する網状体間にそれぞれ前記粒状遊動体が収容されていることを特徴とする請求項４に記載のフィルタエレメント。
【請求項６】
請求項１，２，３，４または５のいずれか１に記載のフィルタエレメントをチャンバー内に複数配置して構成したことを特徴とする濾過装置。
【発明の詳細な説明】
【技術分野】
【０００１】
本発明は、内部に流入した被処理水を濾過して外部へ流出させる円筒状のフィルタエレメント及びこのフィルタエレメントを用いた濾過装置に関する。
【背景技術】
【０００２】
船舶に貯留されるバラスト水や、その他汚染物質を含んだ汚染水などの被処理水を濾過する濾過装置に使用されるフィルタエレメントとして、多数の穴を設けた金属薄板を円筒形に形成した支持体の内表面に濾過体を円筒状に設けた構成のものが知られている（例えば、特許文献１参照。）。このフィルタエレメントは、一方の開口部が被処理水入口となり、他方の開口部は閉鎖され、被処理水入口からフィルタエレメント内側に流入した被処理水を内周面の濾過体を通過させて濾過し、外部へ排出させるものである。
【０００３】
特許文献１で用いられているような円筒状のフィルタエレメントは、被処理水が被処理水入口からフィルタエレメントの内部に入り、フィルタを半径方向へ通過し濾過されて外部へ排出されるが、フィルタエレメントを構成する支持体の内周面に設けられたフィルタによる濾過で被処理水から取り除かれた濾滓がフィルタの内面に堆積し、濾滓の堆積量が多くなるにつれフィルタの閉塞が進み、濾過流量が十分に得られなくなる。このため定期的に、或いは濾過流量の減少を検出して、逆洗によりフィルタの内面に堆積した濾滓を剥離させて除去するといったことやフィルタエレメントを交換するといったことが行われている。
【先行技術文献】
【特許文献】
【０００４】
【特許文献１】特開平４−２４７２０４号公報
【発明の概要】
【発明が解決しようとする課題】
【０００５】
上記のように、特許文献１で用いられているような円筒状のフィルタエレメントでは、支持体の内周面に設けられたフィルタに濾滓が堆積し、濾過流量が十分に得られなくなったような場合、逆洗によりフィルタの内面に堆積した濾滓を剥離除去させる方法やフィルタエレメントを交換するといったことが行われる。このうち、フィルタエレメントの交換作業は、濾過装置の分解・組立を伴う作業になるため、面倒な手間とコストがかかるとともに、交換作業の間、濾過処理が停止することとなる。一方、逆洗による洗浄効果は濾過時の汚れの付着状況にも影響を受ける。濾過工程時に汚れの一部がフィルタに絡みつくように付着してしまった場合、逆洗だけでは除去が困難になる。逆洗は、フィルタエレメントの交換と比較すると作業上の手間は少ないが、効果的に行われなければ、濾滓の堆積、即ち目詰まりが早く進むため、逆洗のサイクルが短くなり、その分処理効率が低下するといった問題がある。
【０００６】
本発明の目的は、フィルタの逆洗を効果的に行うことのできるフィルタおよび濾過工程中に、濾過と同時に前記フィルタの逆洗を行うこのとできる濾過装置を提供することにある。
【課題を解決するための手段】
【０００７】
上記の目的を達成するために、請求項１に記載の発明は、内部に流入した被処理水をフィルタで濾過して外部へ流出させる円筒状のフィルタエレメントであって、フィルタエレメントの内部に流入した被処理水に旋回流を与える旋回翼体を設けたことを特徴とする。
【０００８】
請求項１に記載の発明によれば、濾過時に、フィルタエレメントの一方の開口部を被処理水入口とし他の開口部を閉鎖して、被処理水入口からフィルタエレメント内に被処理水を流入させると、被処理水は旋回翼体により旋回流を与えられるので、旋回の外周部は遠心力によって圧力が上昇するが、中心部は圧力が低くなるため、フィルタエレメントの軸方向に二次流れを生じさせることができ、フィルタに絡むような夾雑物をこの流れの中に取り込んでフィルタ内面への絡みつきを防止することができるとともに、旋回流によって濾過で堆積した汚れを剥がすことができるので逆洗時の洗浄効果を高めることができる。
【０００９】
請求項２に記載の発明は、請求項１に記載の、前記旋回翼体はフィルタエレメントの軸方向に複数設けたことを特徴とする。
【００１０】
請求項２に記載の発明によれば、前記旋回翼体はフィルタエレメントの軸方向に複数設けたので、濾過にともなって被処理水の流量が低下しても、フィルタ内側の旋回力が低下することなく旋回流を与えられるので、フィルタエレメントの軸方向に効果的に二次流れを生じさせることができ、フィルタに絡むような夾雑物をこの流れの中に取り込んでフィルタ内面への絡みつきを防止することができるとともに、旋回流によって濾過で堆積した汚れを剥がすことができるので逆洗時の洗浄効果を高めることができる。
【００１１】
請求項３に記載の発明は、請求項１または２のいずれか１に記載の、前記フィルタエレメントの内部には、旋回翼体の下流室に粒状遊動体を収容したことを特徴とする。
【００１２】
請求項３に記載の発明によれば、前記フィルタエレメントの内部に、旋回翼体の下流室に粒状遊動体を収容したので、濾過時に、旋回翼体により旋回する被処理水に応じて旋回翼体の下流室に収容されている粒状遊動体が旋回し、遠心力によってフィルタ内面に衝突する。この粒状遊動体の衝突によって、フィルタ内面に付着した濾滓を砕き、剥離させることができるので、逆洗時にフィルタの内面を一層効果的に洗浄することができる。
【００１３】
請求項４に記載の発明は、請求項１乃至３のいずれか１に記載の、前記フィルタエレメントの内部は、前記粒状遊動体を通過させない網状体でフィルタエレメントの軸方向と交差する方向に仕切られていることを特徴とする。
【００１４】
請求項４に記載の発明によれば、前記フィルタエレメントの内部は、前記粒状遊動体を通過させない網状体でフィルタエレメントの軸方向と交差する方向に仕切られているので、逆洗時に外部からフィルタを通過して内部に流れた洗浄水が被処理水入口から排出される際に、フィルタエレメントからの粒状遊動体の流出が網状体によって防止することができる。
【００１５】
請求項５に記載の発明は、請求項４に記載の、前記網状体は前記旋回翼体が複数設けられているとき、前記旋回翼体の間隔に合わせて複数設けられ、上下に位置する網状体間にそれぞれ前記粒状遊動体が収容されていることを特徴とする。
【００１６】
請求項５に記載の発明によれば、前記網状体は前記旋回翼体が複数設けられているとき、前記旋回翼体の間隔に合わせて複数設けられ、上下に位置する網状体間にそれぞれ前記粒状遊動体が収容されているので、前記粒状遊動体はフィルタエレメント内に、軸方向に前記旋回翼体の間隔毎に保持されることになり、濾過時に、上下に位置する網状体間に収容されている前記粒状遊動体は前記旋回翼体により旋回する被処理水に応じて旋回し、フィルタエレメントの軸方向全域に渡り、フィルタ内面に満遍なく衝突する。この粒状遊動体の衝突によって、フィルタ内面全域に付着した濾滓を砕き、剥離させることができるので、逆洗時にフィルタの内面を一層効果的に洗浄することができる。
【００１７】
請求項６に記載の発明は、濾過装置であって、前記請求項１，２，３，４または５のいずれか１に記載のフィルタエレメントをチャンバー内に複数配置して構成したことを特徴とする。
【００１８】
請求項６に記載の発明によれば、前記請求項１，２，３，４または５のいずれか１に記載のフィルタエレメントをチャンバー内に複数配置して構成したので、複数配置したフィルタエレメントのうちの特定なフィルタエレメントを任意に選択し、選択したフィルタエレメントの被処理水入口（逆洗水出口）と洗浄汚水排出路とを接続し、それ以外のフィルタエレメントの被処理水入口と被処理水導入路とを接続して、被処理水導入路からフィルタエレメント内に被処理水を流入させることにより、被処理水の濾過を行う工程と、濾過した水の一部をフィルタの逆洗用の水として用いてフィルタの逆洗を行う逆洗工程を同時に行うことができ、効率のよい被処理水の濾過と逆洗を行うことができる。
【発明の効果】
【００１９】
本発明によれば、フィルタエレメントの内部に流入する被処理水に旋回流を与える旋回翼体を設けたので、濾過時には被処理水の旋回により、フィルタエレメントの軸方向に二次流れを生じさせることができ、フィルタに絡むような夾雑物をこの流れの中に取り込んでフィルタ内面への絡みつきを防止することができるとともに、旋回流によって濾過で堆積した汚れを剥がすことができるので逆洗時の洗浄効果を高めることができる。これにより、フィルタの内面への濾滓の堆積が抑えられ、濾過流量の低下を抑制できることから、フィルタエレメントの逆洗や交換サイクルが長くなり、その分フィルタエレメントの交換作業やコストを軽減することができる。
【図面の簡単な説明】
【００２０】
【図１】本発明に係るフィルタエレメントの実施の形態の第１例を示す断面図である。
【図２】図１の一部省略平面図である。
【図３】本例で使用される旋回翼体の一例を示す斜視図である。
【図４】第１例の濾過時の状態を示す説明図である。
【図５】本発明に係るフィルタエレメントの実施の形態の第２例を示す断面図である。
【図６】第２例の濾過時の状態を示す説明図である。
【図７】本発明に係るフィルタエレメントの実施の形態の第３例を示す断面図である。
【図８】第３例の濾過時の状態を示す説明図である。
【図９】本発明に係る濾過装置の実施の形態の一例を示す一部概略断面図である。
【発明を実施するための形態】
【００２１】
以下、本発明に係るフィルタエレメントの実施例を図面を参照して詳細に説明する。
図１乃至図３は本発明に係るフィルタエレメントの実施の形態の第１例を示すものであり、図１は本例の断面図、図２は図１の一部省略平面図、図３は本例で使用される旋回翼体の一例を示す斜視図、図４は第１例の濾過時の状態を示す説明図である。
【００２２】
本例のフィルタエレメント１は、スリーブ２、フィルタ３、固定部材４、旋回翼体５および旋回翼体５を任意の位置で固定するネジ軸６で構成され、円筒状のフィルタエレメント１内に、フィルタエレメント１内に流入した被処理水の流れに旋回を与える旋回翼体５が設けられている。
フィルタエレメント１のフィルタ３にあっては、濾過層７と濾過層７の外側に重ねられ濾過層７の円筒状を保つための補強材を兼ねる支持層８とで構成されている。本例では、濾過層７は公知の＃４５０のメッシュを持つ金属製の網となっており、支持層８は＃８０の金属製の網が用いられている。支持層８にあっては、金属製の網以外にパンチングメタルなどが使用されるが、濾過層７を円筒状に支持できるものであれば、特に限定されない。
スリーブ２にあっては、フィルタエレメント１の開口端部に設けられてフィルタエレメント１の開口部を形成するものであり、その外周にはＯリング溝９が設けられている。
本例では、前記のように構成されたフィルタエレメント１の一方の開口部が被処理水入口１０（逆洗時には逆洗水出口１１）となり、他方の開口部は後述する濾過装置の底板に設けた固定座に挿入するようにして固定し、閉塞される。
【００２３】
また、フィルタエレメント１に設けられた旋回翼体５にあっては、本例では、図３に示すように、フィルタエレメント１の内径に対応する外径を有する円板状となっており、中心部から遠心方向に向かって配置された螺旋状の傾斜面を有する複数の翼部１２を備えており、その中心にはネジ軸６を通す孔１３が形成されている。
【００２４】
この旋回翼体５は、本例ではつぎのような構成でフィルタエレメント１内に設けられており、つぎのようにしてフィルタエレメント１内に固定される。
まず、片方の固定部材４の中央にある筒状部１４にネジ軸６を通し、ネジ軸６の端部に固定部材４をナット１５で挟持するようにして固定する。この固定部材４は、フィルタエレメント１の両開口端部に設けたスリーブ２の内径より僅かに小さい外径で形成された外枠部１６とネジ軸６を通す筒状部１４と、筒状部１４と外枠部１６を連結する４枚のリブ１７で構成されている。
次いで、旋回翼体５の中心に形成された孔１３にネジ軸６を挿入し、所望する位置にナット１８で挟持して固定する。そして、もう１つの固定部材４の筒状部１４にネジ軸６の先端部がフィルタエレメント１の端面から突出しないようにして固定する。この２つの固定部材４と旋回翼体５が固定されたネジ軸６をフィルタエレメント１内に挿入し、外枠部１６をネジなどの固定手段（図示せず。）でスリーブ２に固定する。
【００２５】
このように構成された本例のフィルタエレメント１に被処理水入口１０から被処理水を流入させると、図４に示すように、被処理水は旋回翼体５により、フィルタ３の内周面を旋回流Ａとなって旋回しながら流れて、フィルタ３を通過し濾過されて外部へ排出される。旋回の外周部は遠心力によって圧力が上昇するが、中心部は圧力が低くなるため、フィルタエレメントの軸方向に二次流れＢを生じさせることができ、フィルタ３に絡むような軽量の夾雑物（例えば、珪藻類）をこの流れの中に取り込んでフィルタ３内面への絡みつきを防止することができるとともに、旋回流Ａによって濾過で堆積した汚れを剥がすことができるので逆洗時の洗浄効果を高めることができる。
【００２６】
図５、図６は本発明に係るフィルタエレメントの実施の形態の第２例を示すものであり、図５は本例の断面図、図６は本例の濾過時の状態を示す説明図である。
本例のフィルタエレメント１について、前記第１例と同一の構成については同一の符号を付しその説明を省略し、第１例と異なる構成についてのみ説明する。
【００２７】
本例のフィルタエレメント１は、第１例と同様に、フィルタエレメント１内に流入した被処理水に旋回を与える旋回翼体５が設けられている。本例では、旋回翼体５がフィルタエレメント１の軸方向に複数設けられており、それ以外は第１例と同様の構成となっている。
旋回翼体５の個数や間隔にあっては特に限定されないが、フィルタエレメント１の被処理水入口１０から流入する被処理水が、フィルタエレメント１の被処理水入口１０から軸方向を下流側に向かって濾過されながら外部へ排出されることにより、フィルタエレメント１内の下流側ほど被処理水の流量が低下し、旋回翼体５によって与えられる被処理水の旋回速度も低下するので、旋回翼体５によって与えられる被処理水の旋回速度が略等しくなるように被処理水の流量低下に応じて旋回翼体５の個数や間隔を適宜変えることが好ましい。本例では、旋回翼体５の間隔は、下流側に行くに従って狭間隔になるように設けられている。
この複数の旋回翼体５は、第１例と同様に旋回翼体５の中心に形成された孔１３にネジ軸６を挿入し、ネジ軸６に複数の旋回翼体５を所望する間隔で固定する。ネジ軸６への旋回翼体５の固定にあっては、特に限定されないが、本例では、固定部材４の中央にある筒状部１４と旋回翼体５との間、旋回翼体５とつぎの旋回翼体５との間にスペーサ１９を設けて固定している。
【００２８】
このように構成された本例のフィルタエレメント１によれば、被処理水入口１０から被処理水を流入させると、図６に示すように、被処理水は旋回翼体５により、フィルタ３の内周面を旋回流Ａとなって旋回しながら流れて、フィルタ３を通過し濾過される。濾過にともなって被処理水の流量は低下するが、旋回翼体５の間隔が下方に行くに従い狭間隔に設置してあるので、フィルタ３の内側の旋回力を低下させることがなく、フィルタエレメントの軸方向に効果的に二次流れＢを生じさせることができる。従って、この二次流れＢによって、フィルタ３に絡むような夾雑物をこの流れの中に取り込んでフィルタ３内面への絡みつきを防止することができるとともに、旋回流Ａによって濾過で堆積した汚れを剥がすことができるので逆洗時の洗浄効果を高めることができる。
【００２９】
図７、図８は本発明に係るフィルタエレメントの実施の形態の第３例を示すものであり、図７は本例の断面図、図８は本例の濾過時の状態を示す説明図である。
本例のフィルタエレメント１について、第２例と同一の構成については同一の符号を付しその説明を省略し、第２例と異なる構成についてのみ説明する。
【００３０】
本例のフィルタエレメント１は、第２例と同様に、フィルタエレメント１内に流入した被処理水に旋回を与える旋回翼体５が複数設けられている。本例では、フィルタエレメント１の内部における各旋回翼体５の下流室２０に粒状遊動体２１が多数収容されている。この粒状遊動体２１は、プラスチックビーズのように比較的比重が軽いものが好ましい。本例では、比重が０．５〜１．５の粒状遊動体２１を混合して収容している。また、その形状にあっては球状、円柱状等のものが好ましい。
【００３１】
また、本例では、フィルタエレメント１の内部に、各旋回翼体５の上流側近傍に、フィルタエレメント１内を軸方向と交差する方向に仕切る粒状遊動体２１を通過させない網状体２２が設けられている。この網状体２２の中心にはネジ軸６を通す孔が形成されている。
この網状体２２は、中心に形成された孔にネジ軸６を挿入し、ネジ軸６に固定される各旋回翼体５の上流側近傍に固定される。ネジ軸６への網状体２２の固定にあっては、特に限定されないが、本例では、固定部材４の中央にある筒状部１４と網状体２２との間、旋回翼体５と網状体２２との間にスペーサ２３を設けて固定している。
【００３２】
このように構成された本例のフィルタエレメント１によれば、被処理水入口１０から被処理水を流入させると、図８に示すように、被処理水は旋回翼体５により、フィルタ３の内周面を旋回しながら流れて、フィルタ３を通過し濾過される。濾過にともなって被処理水の流量は低下するが、旋回翼体５の間隔が下方に行くに従い狭間隔に設置してあるので、フィルタ３の内側の旋回力を低下させることがなく、フィルタエレメントの軸方向に効果的に二次流れＢを生じさせることができる。従って、この二次流れＢによって、フィルタ３に絡むような夾雑物をこの流れの中に取り込んでフィルタ３内面への絡みつきを防止することができるとともに、旋回流Ａによって濾過で堆積した汚れを剥がすことができるので逆洗時の洗浄効果を高めることができる。
【００３３】
また、本例では、フィルタエレメント１の内部における旋回翼体５の下流室２０に粒状遊動体２１が多数収容されているので、濾過時に旋回翼体５により旋回する被処理水に応じて旋回翼体５の下流室２０に収容されている粒状遊動体２１が旋回し、遠心力によってフィルタ３内面に衝突を繰り返すようになる。
特に、旋回翼体５は濾過によって被処理水の流量が低下しても旋回速度が低下しないように複数段設けており、各旋回翼体５の下流室２０に粒状遊動体２１を収容したので、フィルタ３の内面への衝突が一層効果的に行われる。この粒状遊動体２１の衝突によって、フィルタ３の内面に付着した濾滓が砕かれるので、フィルタ３の濾滓の堆積速度が遅くなり、フィルタ３の逆洗の時間間隔を広くすることができるとともに逆洗時の洗浄効果を高めることができる。
また、フィルタ３を逆洗したとき、外部からフィルタ３を通過して内部に流れた逆洗水が逆洗水出口１１から排出される際に、網状体２２によりフィルタエレメント１からの粒状遊動体２１の流出を防止できる。
【００３４】
図９は本発明に係るフィルタエレメントを用いた濾過装置の実施の形態の一例を示す一部概略断面図である。
本例の濾過装置２４は、円筒形のチャンバー２５と上部開口部に着脱可能に取り付けられ、チャンバー２５の上部開口部を閉鎖するヘッダ２６を備え、チャンバー２５とヘッダ２６はフランジ２７で着脱可能に接続されている。チャンバー２５の内部は処理水室２８となり、ヘッダ２６の内部は被処理水導入室２９となる。
チャンバー２５は、フィルタエレメント１を複数個挿入するための孔３０を設けた天板３１と、その孔３０に対応する位置に筒状の固定座３２を設けフィルタエレメント１の下部開口部を閉塞する底板３３を備えており、また、濾過された水が排出される処理水排出路３４が接続されている。
【００３５】
天板３１に設けた孔３０からチャンバー２５内に挿入したフィルタエレメント１は、下端の開口部を形成するスリーブ２が底板３３の固定座３２に挿入され、スリーブ２のＯリング溝９に装着したＯリング３５で固定座３２とスリーブ２の間がシールされ、上端の開口部を形成するスリーブ２は天板３１に設けた孔３０で支持され、上端側のスリーブ２のＯリング溝９に装着したＯリング３５で天板３１に設けた孔３０とスリーブ２の間がシールされている。
【００３６】
また、チャンバー２５の中心部分には、天板３１と底板３３を貫通するようにして洗浄汚水排出管３６が取り付けられている。この洗浄汚染水排出管３６の上端は被処理水導入室２９内に突出し、この突出端部には、後述するアームの回転中心となるアーム回転基部３７が液密的に且つ回転可能に装着されている。アーム回転基部３７にはフィルタエレメント１の被処理水入口１０（逆洗水出口１１）とアーム回転基部３７を連通させるための管状のアーム３８が設けられている。
このアーム３８の先端開口部には、フィルタエレメント１の被処理水入口１０（逆洗水出口１１）と対向する位置に液密に接続できる逆洗水接続口３９が設けてあり、アーム回転基部３７を回転させることにより、逆洗水接続口３９が天板３１の上面をスライドし、この逆洗水接続口３９がフィルタエレメント１の被処理水入口１０（逆洗水出口１１）と一致した位置でアーム回転基部３７の回転を停止させることにより、天板３１に開口するフィルタエレメント１の被処理水入口１０（逆洗水出口１１）と液密に接続できるようになっている。そして、再びアーム回転基部３７が回転することによって、フィルタエレメント１の被処理水入口１０（逆洗水出口１１）から外れるようになっている。
【００３７】
アーム回転基部３７には、ヘッダ２６の外側からアーム回転基部３７を回転させる回転手段４０が設けられている。
また、洗浄汚水排出管３６の下端は底板３３から突出させており、この突出端部には洗浄汚水排出路４１が接続されている。
また、ヘッダ２６には、被処理水導入室２９へ被処理水を導入する被処理水導入路４２が接続されている。
【００３８】
このように構成された濾過装置２４には、複数本のフィルタエレメント１が配置される。濾過装置２４の前後の差圧の上昇や運転時間などの物理量の変化に基づき、逆洗が必要と判断した場合は、複数のフィルタエレメント１に対して順次逆洗を実施する。
逆洗工程は、フィルタエレメント１の被処理水入口１０（逆洗水出口１１）に、回転手段４０によりアーム回転基部３７を回転させてアーム３８の逆洗水接続口３９を接続することによって、このフィルタエレメント１は大気圧にある洗浄汚水排出路４１と連通するので、チャンバー２５内の圧力、すなわち、フィルタエレメント１外側の圧力の方がフィルタエレメント１内の圧力よりも高くなり、図９に示すように、水の流れが逆になる。すなわち、濾過工程にある他のフィルタエレメント１で濾過処理された水の一部が逆洗工程にあるフィルタエレメント１の外側から内側に向けて逆流することによって、フィルタ３が洗浄される。フィルタ３から剥離した濾滓を含んだ洗浄汚水はアーム３８を通って洗浄汚水排出管３６へ流れ、洗浄汚水排出路４１から濾過装置２４外へ排出される。
【００３９】
このように、濾過装置２４の濾過水の一部は逆洗工程に使用されるので、濾過装置２４に必要とされる濾過処理能力を得るフィルタエレメント１の本数は、逆洗工程にあるフィルタエレメント数Ｎとこの逆洗に使用される濾過処理水を作るフィルタエレメント数Ｎを加えた数２Ｎを引いたフィルタエレメント数以上としなければならないことになる。
【００４０】
アーム３８の逆洗水接続口３９を、逆洗を行うフィルタエレメント１に接続してから逆洗工程を開始し、所定時間経過すると、回転手段４０により隣接するフィルタエレメント１の被処理水入口１０（逆洗水出口１１）とアーム３８の逆洗水接続口３９が重なるようにアーム回転基部３７を回転させる。このようにして、順次、フィルタ３の逆洗を行っていく。
【００４１】
このように本例の濾過装置２４によれば、被洗浄水の濾過とフィルタエレメント１の逆洗が同時に行え、濾過工程にあるフィルタエレメント１は、同時に内面に付着した濾滓が剥離され洗浄されるので、このような濾過工程を経た逆洗工程にあるフィルタエレメント１の逆洗を効果的に行えることになる。
【符号の説明】
【００４２】
１  フィルタエレメント
２  スリーブ
３  フィルタ
４  固定部材
５  旋回翼体
６  ネジ軸
７  濾過層
８  支持層
９  Ｏリング溝
１０  被処理水入口
１１  逆洗水出口
１２  翼部
１３  孔
１４  筒状部
１５  ナット
１６  外枠部
１７  リブ
１８  ナット
１９  スペーサ
２０  下流室
２１  粒状流動体
２２  網状体
２３  スペーサ
２４  濾過装置
２５  チャンバー
２６  ヘッダ
２７  フランジ
２８  処理水室
２９  被処理水導入室
３０  孔
３１  天板
３２  固定座
３３  底板
３４  処理水排出路
３５  Ｏリング
３６  洗浄汚水排出管
３７  アーム回転基部
３８  アーム
３９  逆洗水接続口
４０  回転手段
４１  洗浄汚水排出路
４２  被処理水導入路
【図１】
2013188689.tif 000003
【図２】
2013188689.tif 000004
【図３】
2013188689.tif 000005
【図４】
2013188689.tif 000006
【図５】
2013188689.tif 000007
【図６】
2013188689.tif 000008
【図７】
2013188689.tif 000009
【図８】
2013188689.tif 000010
【図９】
2013188689.tif 000011